(57)【特許請求の範囲】
【請求項１】
画像を表示する第１の表示装置及び第２の表示装置と、当該第１の表示装置及び当該第２の表示装置による画像の表示を制御する制御装置とを有し、
前記制御装置は、
同一のウェブページに基づく表示画像を前記第１の表示装置及び前記第２の表示装置に表示させる第１の表示制御手段と、
前記第１の表示制御手段により前記表示画像が表示されている任意のタイミングでユーザの所定の操作を受け付ける操作手段と、
前記操作手段により所定の操作が受け付けられた場合に、前記第２の表示装置に表示されている表示画像の少なくとも一部を隠蔽し、当該表示画像の少なくとも一部を隠蔽した後に前記操作手段により所定の操作が受け付けられたときには、当該表示画像の少なくとの一部に対する隠蔽を解除する第２の表示制御手段とを備える
情報処理システム。
【請求項２】
前記第２の表示制御手段は、前記第１の表示制御手段による前記第１の表示装置への表示画像の表示が維持されている状態で、前記第２の表示装置に表示される表示画像の少なくとも一部を隠蔽する
請求項１に記載の情報処理システム。
【請求項３】
前記第１の表示装置は、手持ち型の表示装置であり、前記第２の表示装置は、据置型の表示装置である
請求項１又は２に記載の情報処理システム。
【請求項４】
前記制御装置は、
前記ウェブページに関連する関連情報を取得する関連情報取得手段と、
前記関連情報取得手段により取得された関連情報が所定の条件を満たす場合に、前記第２の表示制御手段による隠蔽が前記操作手段により受け付けられる所定の操作で可能であることをユーザに報知するための報知情報を出力する出力手段とをさらに備える
請求項１ないし３のいずれか１項に記載の情報処理システム。
【請求項５】
前記第１の表示制御手段は、前記表示画像を変更し、
前記第２の表示制御手段は、少なくとも前記第１の表示制御手段により前記表示画像が変更されている間に、前記第２の表示装置に表示されている表示画像の少なくとも一部を隠蔽する
請求項１ないし４のいずれか１項に記載の情報処理システム。
【請求項６】
前記第２の表示制御手段は、前記表示画像を隠蔽するための隠蔽画像を表示させ、当該隠蔽画像の表示態様を、前記第２の表示装置の表示領域内の所定の位置において変化させる
請求項１ないし５のいずれか１項に記載の情報処理システム。
【請求項７】
前記第２の表示制御手段は、前記表示画像の一部が視認できるように前記隠蔽画像の表示態様を変化させる
請求項６に記載の情報処理システム。
【請求項８】
ユーザの操作を受け付ける操作装置をさらに有し、
前記操作装置が受け付けた操作に応じて前記第２の表示装置の表示領域内の位置を特定する第１の特定手段を備え、
前記第２の表示制御手段は、前記第１の特定手段により特定された位置において前記隠蔽画像の表示態様を変化させる
請求項６又は７に記載の情報処理システム。
【請求項９】
前記第２の表示制御手段は、前記隠蔽画像として、前記表示画像の視認性を低下させる視覚効果を有する画像を表示させる
請求項６ないし８のいずれか１項に記載の情報処理システム。
【請求項１０】
前記第２の表示制御手段は、前記表示画像の視認性を低下させる視覚効果を有する隠蔽画像を表示させ、当該隠蔽画像のうちの当該表示画像の視認性を向上させる位置を移動させるように当該隠蔽画像の表示態様を変化させる
請求項１ないし９のいずれか１項に記載の情報処理システム。
【請求項１１】
前記制御装置は、
前記ウェブページに関連する関連情報を取得する関連情報取得手段と、
前記関連情報に基づいて前記表示画像のうちの隠蔽すべき部分を特定する第２の特定手段とを備え、
前記第２の表示制御手段は、少なくとも前記第２の特定手段により特定された部分を隠蔽する
請求項１ないし１０のいずれか１項に記載の情報処理システム。
【請求項１２】
前記制御装置は、
ユーザに関連する設定情報を記憶する記憶手段と、
前記ウェブページに関連する関連情報を取得する関連情報取得手段とを有し、
前記第２の表示制御手段は、前記設定情報と前記関連情報との比較結果が所定の条件を満たした場合に、前記表示画像の少なくとも一部を隠蔽する
請求項１ないし１１のいずれか１項に記載の情報処理システム。
【請求項１３】
前記制御装置は、
前記ウェブページを所定の通信網を介して取得するコンテンツ取得手段を備え、
前記第２の表示制御手段は、前記コンテンツ取得手段が前記ウェブページを取得するときに用いた通信プロトコルが所定の通信プロトコルである場合に、当該ウェブページに対応する前記表示画像の少なくとも一部を隠蔽して表示させる
請求項１ないし１２のいずれか１項に記載の情報処理システム。
【請求項１４】
前記制御装置は、前記ウェブページを所定の通信網を介して取得するコンテンツ取得手段を備え、
前記第２の表示制御手段は、前記コンテンツ取得手段により取得された前記ウェブページの識別情報が所定の識別情報であり、又は当該ウェブページに所定のデータが含まれる場合に、当該ウェブページに対応する前記表示画像の少なくとも一部を隠蔽して表示させる
請求項１ないし１２のいずれか１項に記載の情報処理システム。
【請求項１５】
同一のウェブページに基づく表示画像を第１の表示装置及び第２の表示装置に表示させる第１の表示制御手段と、
前記第１の表示制御手段により前記表示画像が表示されている任意のタイミングでユーザの所定の操作を受け付ける操作手段と、
前記操作手段により所定の操作が受け付けられた場合に、前記第２の表示装置に表示されている表示画像の少なくとも一部を隠蔽し、当該表示画像の少なくとも一部を隠蔽した後に前記操作手段により所定の操作が受け付けられたときには、当該表示画像の少なくとの一部に対する隠蔽を解除する第２の表示制御手段とを備える
制御装置。
【請求項１６】
コンピュータを、
同一のウェブページに基づく表示画像を第１の表示装置及び第２の表示装置に表示させる第１の表示制御手段と、
前記第１の表示制御手段により前記表示画像が表示されている任意のタイミングでユーザの所定の操作を受け付ける操作手段と、
前記操作手段により所定の操作が受け付けられた場合に、前記第２の表示装置に表示されている表示画像の少なくとも一部を隠蔽し、当該表示画像の少なくとも一部を隠蔽した後に前記操作手段により所定の操作が受け付けられたときには、当該表示画像の少なくとの一部に対する隠蔽を解除する第２の表示制御手段と
して機能させるためのプログラム。
【請求項１７】
同一のウェブページに基づく表示画像を第１の表示装置及び第２の表示装置に表示させる第１のステップと、
前記表示画像が表示されている任意のタイミングでユーザの所定の操作を受け付ける第２のステップと、
前記所定の操作が受け付けられた場合に、前記第２の表示装置に表示されている表示画像の少なくとも一部を隠蔽し、当該表示画像の少なくとも一部を隠蔽した後に前記所定の操作が受け付けられたときには、当該表示画像の少なくとの一部に対する隠蔽を解除する第２の表示ステップと
を有する画像表示方法。
【請求項１８】
画像を表示する第１の表示装置及び第２の表示装置と、当該第１の表示装置及び当該第２の表示装置による画像の表示を制御する制御装置とを有し、
前記制御装置は、
同一のコンテンツに基づく表示画像を前記第１の表示装置及び前記第２の表示装置に表示させる第１の表示制御手段と、
所定の条件が満たされると、前記第２の表示装置に表示される表示画像の少なくとも一部を隠蔽する第２の表示制御手段と
を備え、
前記第１の表示装置は、
ユーザの操作を受け付ける操作手段を備え、
前記第２の表示制御手段は、前記操作手段により所定の操作が受け付けられた場合に、前記第２の表示装置に表示されている前記表示画像の少なくとも一部を隠蔽し、
前記制御装置は、
前記コンテンツに関連する関連情報を取得する関連情報取得手段と、
前記関連情報取得手段により取得された関連情報が所定の条件を満たす場合に、前記第２の表示制御手段による隠蔽が前記操作手段により受け付けられる所定の操作で可能であることをユーザに報知するための報知情報を出力する出力手段とをさらに備える
情報処理システム。
【請求項１９】
画像を表示する第１の表示装置及び第２の表示装置と、当該第１の表示装置及び当該第２の表示装置による画像の表示を制御する制御装置とを有し、
前記制御装置は、
同一のコンテンツに基づく表示画像を前記第１の表示装置及び前記第２の表示装置に表示させる第１の表示制御手段と、
所定の条件が満たされると、前記第２の表示装置に表示される表示画像の少なくとも一部を隠蔽する第２の表示制御手段とを備え、
前記制御装置は、
前記コンテンツに関連する関連情報を取得する関連情報取得手段と、
前記関連情報に基づいて前記表示画像のうちの隠蔽すべき部分を特定する第２の特定手段とを備え、
前記第２の表示制御手段は、少なくとも前記第２の特定手段により特定された部分を隠蔽する
情報処理システム。
【請求項２０】
画像を表示する第１の表示装置及び第２の表示装置と、当該第１の表示装置及び当該第２の表示装置による画像の表示を制御する制御装置とを有し、
前記制御装置は、
同一のコンテンツに基づく表示画像を前記第１の表示装置及び前記第２の表示装置に表示させる第１の表示制御手段と、
所定の条件が満たされると、前記第２の表示装置に表示される表示画像の少なくとも一部を隠蔽する第２の表示制御手段とを備え、
前記制御装置は、
ユーザに関連する設定情報を記憶する記憶手段と、
前記コンテンツに関連する関連情報を取得する関連情報取得手段とを有し、
前記第２の表示制御手段は、前記設定情報と前記関連情報との比較結果が所定の条件を満たした場合に、前記表示画像の少なくとも一部を隠蔽する
情報処理システム。
【請求項２１】
画像を表示する第１の表示装置及び第２の表示装置と、当該第１の表示装置及び当該第２の表示装置による画像の表示を制御する制御装置とを有し、
前記制御装置は、
同一のコンテンツに基づく表示画像を前記第１の表示装置及び前記第２の表示装置に表示させる第１の表示制御手段と、
所定の条件が満たされると、前記第２の表示装置に表示される表示画像の少なくとも一部を隠蔽する第２の表示制御手段とを備え、
前記制御装置は、
前記コンテンツを所定の通信網を介して取得するコンテンツ取得手段を備え、
前記第２の表示制御手段は、前記コンテンツ取得手段が前記コンテンツを取得するときに用いた通信プロトコルが所定の通信プロトコルである場合に、当該コンテンツに対応する前記表示画像の少なくとも一部を隠蔽して表示させる
情報処理システム。
【発明の詳細な説明】
【技術分野】
【０００１】
本発明は、複数の表示装置に画像を表示させるための技術に関する。
【背景技術】
【０００２】
特許文献１には、無線通信を用いて、カメラ付き携帯電話で撮影された画像を大画面のテレビジョンに表示させるための技術が記載されている。特許文献１に記載された技術によれば、例えば、カメラ付き携帯電話で撮影された画像を家族や友人などと一緒に見ようとした場合に、カメラ付き携帯電話の画面を皆で見るよりも見やすい表示が可能となる。また、このように画面が複数あれば、カメラ付き携帯電話のユーザは手元のカメラ付き携帯電話の画面を見ながら操作を行い、他のユーザは大画面のテレビジョンで画像を鑑賞する、といった形態での利用が可能となる。
【先行技術文献】
【特許文献】
【０００３】
【特許文献１】特開２００８−００８９１７号公報
【発明の概要】
【発明が解決しようとする課題】
【０００４】
しかし、特許文献１に記載された技術では、複数の画面に同一の画像を表示するだけであった。
そこで、本発明は、同一のコンテンツに基づく画像を複数の表示装置に表示させる場合に、必要に応じて一方に対して変化を与えることができるようにすることを目的とする。
【課題を解決するための手段】
【０００５】
本発明は、一の態様において、画像を表示する第１の表示装置及び第２の表示装置と、当該第１の表示装置及び当該第２の表示装置による画像の表示を制御する制御装置とを有し、前記制御装置は、同一のウェブページに基づく表示画像を前記第１の表示装置及び前記第２の表示装置に表示させる第１の表示制御手段と、前記第１の表示制御手段により前記表示画像が表示されている任意のタイミングでユーザの所定の操作を受け付ける操作手段と、前記操作手段により所定の操作が受け付けられた場合に、前記第２の表示装置に表示されている表示画像の少なくとも一部を隠蔽し、当該表示画像の少なくとも一部を隠蔽した後に前記操作手段により所定の操作が受け付けられたときには、当該表示画像の少なくとの一部に対する隠蔽を解除する第２の表示制御手段とを備える情報処理システムを提供する。
この情報処理システムによれば、同一のコンテンツに基づく画像を複数の表示装置に表示させる場合に、必要に応じて一方に対して変化を与えることが可能である。
【０００６】
また、前記第２の表示制御手段は、前記所定の条件が満たされると、前記第１の表示制御手段による前記第１の表示装置への表示画像の表示が維持されている状態で、前記第２の表示装置に表示される表示画像の少なくとも一部を隠蔽してもよい。
このようにすれば、一方の表示装置（第１の表示装置）に表示される表示画像の視認を妨げることなく、他方の表示装置（第２の表示装置）に表示される表示画像の視認を妨げることが可能である。
【０００７】
また、前記第１の表示装置は、手持ち型の表示装置であり、前記第２の表示装置は、据置型の表示装置であってもよい。
このようにすれば、より多数のユーザに視認され得る表示装置において表示画像の視認を妨げることが可能である。
【００１０】
また、前記制御装置は、前記コンテンツに関連する関連情報を取得する関連情報取得手段と、前記関連情報取得手段により取得された関連情報が所定の条件を満たす場合に、前記第２の表示制御手段による隠蔽が前記操作手段により受け付けられる所定の操作で可能であることをユーザに報知するための報知情報を出力する出力手段とをさらに備えてもよい。
このようにすれば、隠蔽が可能な表示画像が表示される場合に、その旨をユーザに事前に知らせることが可能である。
【００１２】
また、前記第１の表示制御手段は、前記表示画像を変更し、前記第２の表示制御手段は、少なくとも前記第１の表示制御手段により前記表示画像が変更されている間に、前記第２の表示装置に表示されている表示画像の少なくとも一部を隠蔽してもよい。
このようにすれば、第２の表示装置を見るユーザに対して、表示画像の切り替えを見せないようにすることが可能である。
なお、前記第２の表示制御手段は、前記第１の表示装置への表示画像の表示が維持されている状態から当該表示画像が変更される状態に遷移する場合に、前記第２の表示装置に表示されている表示画像の隠蔽をそのいずれの状態においても行うようにしてもよい。
【００１３】
また、前記第２の表示制御手段は、前記表示画像を隠蔽するための隠蔽画像を表示させ、当該隠蔽画像の表示態様を、前記第２の表示装置の表示領域内の所定の位置において変化させてもよい。
例えば、前記第２の表示制御手段は、前記表示画像の一部が視認できるように前記隠蔽画像の表示態様を変化させることができる。このようにすれば、隠蔽画像の表示に変化を与え、見る者を楽しませたりすることが可能である。
また、例えば、前記第２の表示制御手段は、前記表示画像の一部を一時的に視認できるように前記隠蔽画像の表示態様を変化させてもよい。
また、情報処理システムは、ユーザの操作を受け付ける操作装置をさらに有し、前記操作装置が受け付けた操作に応じて前記第２の表示装置の表示領域内の位置を特定する第１の特定手段を備え、前記第２の表示制御手段は、前記第１の特定手段により特定された位置において前記隠蔽画像の表示態様を変化させてもよい。このようにすれば、隠蔽画像の表示態様を操作装置の操作によって変えることが可能である。
【００１４】
また、前記第２の表示制御手段は、前記隠蔽画像として、前記表示画像の視認性を低下させる視覚効果を有する画像を表示させてもよい。すなわち、ここでいう隠蔽画像は、表示画像をまったく見えなくさせるものであってもよいし、表示画像を見えにくくさせるものであってもよい。
【００１５】
また、前記第２の表示制御手段は、前記表示画像の視認性を低下させる視覚効果を有する隠蔽画像を表示させ、当該隠蔽画像のうちの当該表示画像の視認性を向上させる位置を移動させるように当該隠蔽画像の表示態様を変化させてもよい。このようにすれば、隠蔽画像の表示に変化を与えることが可能である。
【００１６】
また、前記制御装置は、前記ウェブページに関連する関連情報を取得する関連情報取得手段と、前記関連情報に基づいて前記表示画像のうちの隠蔽すべき部分を特定する第２の特定手段とを備え、前記第２の表示制御手段は、少なくとも前記第２の特定手段により特定された部分を隠蔽してもよい。
このようにすれば、表示画像のうちの隠蔽すべき部分をコンテンツに応じて変えること
が可能である。
【００１７】
また、前記制御装置は、ユーザに関連する設定情報を記憶する記憶手段と、前記ウェブページに関連する関連情報を取得する関連情報取得手段とを有し、前記第２の表示制御手段は、前記設定情報と前記関連情報との比較結果が所定の条件を満たした場合に、前記表示画像の少なくとも一部を隠蔽してもよい。
このようにすれば、隠蔽の態様を１又は複数のユーザの設定に応じて変えることが可能である。
【００１８】
また、前記制御装置は、前記ウェブページを所定の通信網を介して取得するコンテンツ取得手段を備え、前記第２の表示制御手段は、前記コンテンツ取得手段が前記ウェブページを取得するときに用いた通信プロトコルが所定の通信プロトコルである場合に、コンテンツに対応する前記表示画像の少なくとも一部を隠蔽して表示させてもよい。
このようにすれば、隠蔽の態様を通信プロトコルに応じて変えることが可能である。
【００１９】
また、前記制御装置は、前記ウェブページを所定の通信網を介して取得するコンテンツ取得手段を備え、前記第２の表示制御手段は、前記コンテンツ取得手段により取得された前記ウェブページの識別情報が所定の識別情報であり、又は当該ウェブページに所定のデータが含まれる場合に、当該ウェブページに対応する前記表示画像の少なくとも一部を隠蔽して表示させてもよい。
このようにすれば、隠蔽の態様をコンテンツに応じて変えることが可能である。
【００２０】
また、本発明は、本発明に係る情報処理システムを構成する制御装置や、これを実現する情報処理プログラム、さらには当該情報処理プログラムによって実行される画像表示方法としても特定され得る。
【発明の効果】
【００２１】
本発明によれば、同一のコンテンツに基づく画像を複数の表示装置に表示させる場合に、必要に応じて一方に対して変化を与えることができるようにすることが可能である。
【図面の簡単な説明】
【００２２】
【図１】表示システムの構成を示す図
【図２】メインコントローラのハードウェア構成を示すブロック図
【図３】本体装置のハードウェア構成を示すブロック図
【図４】サブコントローラのハードウェア構成を示すブロック図
【図５】本体装置の主要な機能構成を示す機能ブロック図
【図６】表示画像の一例を示す図
【図７】表示画像を隠蔽する場合の表示例を示す図
【図８】表示制御処理を示すフローチャート
【図９】報知情報の一例を示す図
【図１０】隠蔽画像の一例を示す図
【図１１】表示制御処理を示すフローチャート
【発明を実施するための形態】
【００２３】
［第１実施形態］
図１は、本発明の一実施形態である表示システム１０の構成を示す図である。表示システム１０は、ユーザの操作に応じて各種の画像を表示するための情報処理システムである。表示システム１０において表示される画像は、例えば、ゲームやウェブページの画像（静止画または動画）である。
【００２４】
表示システム１０は、メインコントローラ１００と、モニタ２００と、本体装置３００と、サブコントローラ４００と、発光装置５００とを含んで構成される。ただし、表示システム１０は、サブコントローラ４００を複数備えてもよい。
【００２５】
本実施形態において、ユーザは、複数名（２名以上）いるとする。本実施形態において、あるユーザはメインコントローラ１００を操作し、他のユーザはサブコントローラ４００を操作する。以下においては、必要に応じて、メインコントローラ１００を操作するユーザのことを「メインユーザ」といい、それ以外のユーザのことを「視聴者」という。視聴者には、サブコントローラ４００を操作するユーザだけでなく、特に操作をすることなく単にモニタ２００を見ているだけのユーザも含まれ得る。
【００２６】
メインコントローラ１００は、画像を表示する端末であるとともに、メインユーザがこれを所持して各種の操作を行うための端末でもある。メインコントローラ１００は、ここでは、表示領域１４１を有し、メインユーザが手に持って操作する手持ち型（携帯型）の表示装置である。なお、メインコントローラ１００は、画像を表示することによって情報を視覚的に提示するだけでなく、音声による聴覚的な提示や振動による触覚的な提示を行ってもよい。
【００２７】
モニタ２００は、画像を表示する装置であり、例えば、テレビジョン放送の受像機である。モニタ２００は、ここでは、据置型の表示装置である。ただし、モニタ２００は、テレビジョン放送を受信できる機能を必ずしも要さず、パーソナルコンピュータ用の表示装置などであってもよい。モニタ２００の表示領域２０１は、ここではメインコントローラ１００の表示領域１４１よりも大きいサイズであるとするが、メインコントローラ１００の表示領域１４１と同等ないしそれ未満のサイズであってもよい。
【００２８】
本体装置３００は、メインコントローラ１００及びモニタ２００の動作を制御する情報処理装置であり、本発明に係る「制御装置」に相当する。本体装置３００は、メインコントローラ１００及びモニタ２００と有線又は無線で接続されている。ここでは、本体装置３００は、メインコントローラ１００と無線通信を行い、モニタ２００と有線通信を行うものとするが、これ以外の態様で通信を行うことも可能である。
【００２９】
サブコントローラ４００は、視聴者が所持して各種の操作を行うための端末であり、本発明に係る「操作装置」に相当するものである。サブコントローラ４００は、表示領域２０１の所定の位置を指示するために用いられる。サブコントローラ４００は、外観や機能がメインコントローラ１００と異なり、ここでは、画像を表示する機能を有しないものであるとする。サブコントローラ４００は、表示領域２０１を指示しやすいように、棒状であったり、片手で握れる程度のサイズであったりすると望ましいが、必ずしもこのような形状に限定されない。
【００３０】
発光装置５００は、サブコントローラ４００が検知可能な光を発する装置である。発光装置５００が照射する光は、赤外光のようなユーザに視認されない（あるいは視認されにくい）光であることが望ましい。発光装置５００は、ＬＥＤ（Light Emitting Diode）などの光源を複数、それぞれ異なる位置（例えば、左右の両端部）に有する。発光装置５００は、モニタ２００の表示領域２０１との相対的な位置関係が変化しないように、モニタ２００の上部又は下部などの所定の位置に設置される。
【００３１】
図２は、メインコントローラ１００のハードウェア構成を示すブロック図である。メインコントローラ１００は、制御部１１０と、補助記憶部１２０と、通信部１３０と、表示部１４０と、タッチスクリーン部１５０と、操作部１６０とを備える。
【００３２】
制御部１１０は、メインコントローラ１００の各部の動作を制御する手段である。制御部１１０は、ＣＰＵ（Central Processing Unit）などの演算処理装置、主記憶装置に相当するメモリ、メインコントローラ１００の各部と情報をやり取りするための入出力インタフェースなどを備え、プログラムを実行することによって画像の表示や本体装置３００とのデータの送受信を制御する。
【００３３】
補助記憶部１２０は、制御部１１０により用いられるデータを記憶する手段である。補助記憶部１２０は、例えばフラッシュメモリである。なお、補助記憶部１２０は、いわゆるメモリカードのような着脱可能な記録媒体を含んで構成されてもよい。
通信部１３０は、本体装置３００と通信する手段である。通信部１３０は、無線通信により本体装置３００と通信を行うためのアンテナなどを備える。
【００３４】
表示部１４０は、画像を表示する手段である。表示部１４０は、液晶素子や有機ＥＬ（electroluminescence）素子により画素が構成された表示パネルと、この表示パネルを駆動する駆動回路とを備え、制御部１１０から供給された画像データに応じた画像を表示領域１４１に表示する。
【００３５】
タッチスクリーン部１５０は、メインユーザの操作を受け付ける手段であり、表示領域１４１上の位置を表す座標情報を生成及び供給する手段である。タッチスクリーン部１５０は、表示領域１４１に重ねて設けられたセンサと、このセンサにより検出された位置を表す座標情報を生成して制御部１１０に供給する制御回路とを備える。タッチスクリーン部１５０の位置の検出方式は、抵抗膜方式であってもよいし、静電容量方式などの他の方式であってもよい。
【００３６】
タッチスクリーン部１５０は、表示部１４０との協働によってソフトウェアキーを実現する。ここにおいて、ソフトウェアキーとは、表示領域１４１上にソフトウェア処理によって実現されるキーをいう。ソフトウェアキーは、ハードウェアキーと異なり、位置を変更したり、表示・非表示を切り替えたりすることが可能なキーである。
【００３７】
操作部１６０は、メインユーザの操作を受け付ける別の手段である。操作部１６０は、押下可能なハードウェアキーやスイッチなどを備え、メインユーザの操作に応じた操作情報（例えば、キーが押下されているか否かを表す情報）を制御部１１０に供給する。ここにおいて、ハードウェアキーとは、メインコントローラ１００の所定の位置に存在するキーをいい、物理キーとも呼ばれるものである。
なお、本発明に係る「操作手段」は、タッチスクリーン部１５０と操作部１６０のいずれによって実現されてもよい。
【００３８】
図３は、本体装置３００のハードウェア構成を示すブロック図である。本体装置３００は、制御部３１０と、補助記憶部３２０と、ディスクドライブ部３３０と、ネットワーク通信部３４０と、端末通信部３５０と、ＡＶ（Audio and Visual）インタフェース部３６０とを備える。
【００３９】
制御部３１０は、本体装置３００の各部の動作を制御する手段であり、本発明に係る「コンピュータ」に相当する部分である。制御部１１０は、ＣＰＵ、ＧＰＵ（Graphics Processing Unit）、ＤＳＰ（Digital Signal Processor）などの演算処理装置、主記憶装置やＶＲＡＭ（Video Random Access Memory）に相当するメモリ、本体装置３００の各部と情報をやり取りするための入出力インタフェースなどを備え、プログラムを実行することによってメインコントローラ１００、モニタ２００に送信する画像データの生成などを制御する。制御部３１０が実行可能なプログラムには、後述するゲームプログラムや、ウェブページを閲覧するためのブラウザプログラムが含まれる。
【００４０】
補助記憶部３２０は、制御部３１０により用いられるデータを記憶する手段である。補助記憶部３２０は、例えばフラッシュメモリやハードディスクであるが、メモリカードのような着脱可能な記録媒体を含んでもよい。補助記憶部３２０は、制御部３１０が実行するプログラムや、ネットワーク通信部３４０、端末通信部３５０を介して取得したデータを記憶することが可能である。
【００４１】
ディスクドライブ部３３０は、光ディスク（光記録媒体）に記憶されたデータを読み取る手段である。光ディスクには、例えば、ゲームプログラムなどのゲームを実行するために必要なデータが記録されている。なお、ディスクドライブ部３３０は、光磁気ディスクや半導体メモリなどの他の記録媒体に記憶されたデータを読み取るように構成されてもよい。
【００４２】
ネットワーク通信部３４０は、インターネットなどのネットワーク（通信網）と通信する手段である。ネットワーク通信部３４０による通信は、有線・無線のいずれであってもよい。ネットワーク通信部３４０は、制御部３１０による指示に従い、外部のサーバ装置からデータを送信したり受信したりする。
【００４３】
端末通信部３５０は、メインコントローラ１００及びサブコントローラ４００と通信する手段である。端末通信部３５０による無線通信には、Wi-Fi（登録商標）、Bluetooth（登録商標）、赤外線通信などの任意の通信方式を用いることができる。端末通信部３５０の通信方式は、メインコントローラ１００との通信とサブコントローラ４００との通信とで異なっていてもよいし、同じでもよい。
【００４４】
ＡＶインタフェース部３６０は、モニタ２００に画像データや音声データを供給する手段である。ＡＶインタフェース部３６０は、ＨＤＭＩ（High-Definition Multimedia Interface：登録商標）端子などのインタフェースを１又は複数備える。
【００４５】
図４は、サブコントローラ４００のハードウェア構成を示すブロック図である。サブコントローラ４００は、制御部４１０と、通信部４２０と、操作部４３０と、受光部４４０とを備える。
【００４６】
制御部４１０は、サブコントローラ４００の各部の動作を制御する手段である。制御部４１０は、マイコンなどの演算処理装置やメモリを備え、データの送信を制御する。通信部４２０は、本体装置３００と通信する手段であり、アンテナなどを備える。操作部４３０は、視聴者の操作を受け付ける手段であり、視聴者が所定の操作を行うためのハードウェアキーを備える。
【００４７】
受光部４４０は、発光装置５００が発する光を検知する光センサ（撮像素子）と、この光センサによって検知された光に基づいて座標情報を算出する画像処理回路とを備える。受光部４４０は、光センサによって検知された複数点の光の位置から、視聴者がサブコントローラ４００で指示した位置（表示領域２０１上の位置）を特定し、この位置を表す座標情報を生成する。そのため、受光部４４０の光センサは、サブコントローラ４００の先端（視聴者がモニタ２００に向ける側）に設けられている。受光部４４０は、本発明に係る「第１の特定手段」に相当する。
【００４８】
図５は、本体装置３００の主要な機能構成を示すブロック図（機能ブロック図）である。本体装置３００は、コントローラ１００及びモニタ２００による画像の表示を実現するための手段として、操作情報取得手段３１１、コンテンツ取得手段３１２及び表示制御手段３１３を有する。これらの手段は、本体装置３００の制御部３１０が１又は複数のプログラムを実行することによって、すなわちソフトウェア処理によって実現される。
【００４９】
操作情報取得手段３１１は、ユーザの操作に係る操作情報を取得する手段である。操作情報取得手段３１１が取得する操作情報には、操作部１６０によって供給されるものに加え、タッチスクリーン部１５０から供給される座標情報も含まれる。操作情報取得手段３１１は、端末通信部３５０を介して、メインコントローラ１００から送信された操作情報を取得し、取得した操作情報が表すユーザ（メインユーザ）の操作を認識する。
【００５０】
また、操作情報取得手段３１１は、操作情報として、サブコントローラ４００から送信された情報（座標情報など）も取得する。以下においては、必要に応じて、メインコントローラ１００から送信された操作情報のことを「第１の操作情報」、サブコントローラ４００から送信された操作情報のことを「第２の操作情報」ともいう。すなわち、第１の操作情報は、メインユーザの操作に係る操作情報であり、第２の操作情報は、視聴者の操作に係る操作情報である。
【００５１】
コンテンツ取得手段３１２は、画像の表示に必要なコンテンツを取得する手段である。ここでいうコンテンツは、文字や画像（静止画又は動画）を表すデータを含むものである。例えば、ウェブページを表示させる場合のコンテンツは、ＨＴＭＬ（HyperText Markup Language）などのマークアップ言語で記述されたウェブページ自体のデータに加え、スタイルシート、画像データ、スクリプトなどを含む。
【００５２】
また、コンテンツ取得手段３１２は、より詳細には、関連情報取得手段３１４及び位置特定手段３１５を含む。関連情報取得手段３１４は、取得したコンテンツに関連する関連情報を取得する手段である。関連情報は、コンテンツに含まれる特定のデータであってもよいし、コンテンツに関連付けられ、又は割り当てられたデータであってもよい。例えば、コンテンツがウェブページである場合には、コンテンツ中のタグやＵＲＬ（Uniform Resource Locator）が関連情報に該当し得る。また、位置特定手段３１５は、関連情報取得手段３１４により取得された関連情報に基づいて、コンテンツ中の所定の部分を特定する手段である。位置特定手段３１５は、本発明に係る「第２の特定手段」に相当するものである。
【００５３】
表示制御手段３１３は、画像の表示を制御する手段である。表示制御手段３１３は、コンテンツ取得手段３１２により取得されたコンテンツに基づく画像を、メインコントローラ１００及びモニタ２００に表示させる。すなわち、表示制御手段３１３は、メインコントローラ１００に画像を表示させる手段とモニタ２００に画像を表示させる手段とを兼ねている。表示制御手段３１３は、必要な画像データを生成し、これを端末通信部３５０及びＡＶインタフェース部３６０を介して送信することによって、メインコントローラ１００及びモニタ２００による画像の表示を制御する。
【００５４】
また、表示制御手段３１３は、より詳細には、第１の表示制御手段３１６、第２の表示制御手段３１７及び出力手段３１８を含む。第１の表示制御手段３１６は、メインコントローラ１００の表示領域１４１とモニタ２００の表示領域２０１とに対し、同一のコンテンツに基づく画像を表示させる手段である。なお、第１の表示制御手段３１６によって表示領域１４１に表示される画像と表示領域２０１に表示される画像とは、同一のコンテンツに基づくものであればよく、これらが同一の画像である必要はない。これらの画像は、同一の内容を表すことができればよく、例えば、サイズ、解像度、縦横比、色（あるいは階調数）、レイアウトなどが異なっていてもよい。また、表示領域１４１にはメインユーザが操作に用いるためのメニューバーやツールバーが表示される一方、表示領域２０１にはこれらの画像が表示されないようになっていてもよい。
【００５５】
第２の表示制御手段３１７は、第１の表示制御手段３１６によってモニタ２００に表示された画像の隠蔽を制御する手段である。第２の表示制御手段３１７は、第１の表示制御手段３１６によって同一のコンテンツに基づく画像が表示領域１４１（すなわちメインコントローラ１００）と表示領域２０１（すなわちモニタ２００）とに表示されている場合において、所定の条件が満たされたときに、表示領域２０１に表示されている画像を隠蔽する。すなわち、第２の表示制御手段３１７は、メインコントローラ１００による画像の視認を妨げずに、モニタ２００による画像の視認を妨げるように画像の表示を制御する。また、第２の表示制御手段３１７は、表示領域２０１に表示されている画像を隠蔽した場合において、さらに所定の条件が満たされると、その隠蔽を解除する。
【００５６】
第２の表示制御手段３１７による隠蔽は、コンテンツに基づく画像の全てに対して行われてもよいし、当該画像の一部に対して行われてもよい。また、ここでいう「隠蔽」は、完全に見えなくすることだけではなく、見えにくくすることも含む。第２の表示制御手段３１７による隠蔽は、コンテンツに基づく画像に重ねるようにして別の画像（以下「隠蔽画像」という。）を表示させることで実現されてもよいし、コンテンツに応じた画像の一部又は全部を非表示にする（すなわち、画像を表示しない）ことで実現されてもよい。
【００５７】
また、第２の表示制御手段３１７による隠蔽は、メインユーザの操作に応じて行われてもよいし、関連情報に基づいて行われてもよい。すなわち、第２の表示制御手段３１７による隠蔽が行われるための条件としては、ユーザの操作や関連情報の取得を挙げることができる。また、第２の表示制御手段３１７による隠蔽がコンテンツに応じた画像の一部に対して行われる場合には、少なくとも位置特定手段３１５によって特定された部分が隠蔽されるように制御することも可能である。
【００５８】
なお、以下においては、隠蔽画像と区別するために、コンテンツに基づく画像のことを「表示画像」という。すなわち、第１の表示制御手段３１６は、表示画像をメインコントローラ１００とモニタ２００とに表示させる手段であり、第２の表示制御手段３１７は、モニタ２００に表示される表示画像の少なくとも一部を隠蔽する手段である。
【００５９】
出力手段３１８は、第２の表示制御手段３１７による隠蔽が可能であることをメインユーザに報知するための手段である。出力手段３１８は、このような隠蔽が可能であることを示す報知情報を出力することによってメインユーザへの報知を実現する。報知情報は、例えば、ダイアログボックスや所定のアイコンによって視覚化され、メインユーザに報知される。
【００６０】
表示システム１０の構成は、以上のとおりである。この構成のもと、本体装置３００は、表示画像をコントローラ１００及びモニタ２００に表示させる。このとき、メインユーザは、コントローラ１００の表示領域１４１に表示された表示画像を見て、視聴者は、モニタ２００の表示領域２０１に表示された表示画像を見る。上述したように、コントローラ１００及びモニタ２００に表示される表示画像は、同一のコンテンツに基づく画像であるため、いずれの画像を見ても共通の事物を把握することができる。
【００６１】
本体装置３００は、所定の条件を満たす場合に、モニタ２００に表示されている表示画像を隠蔽することが可能である。表示画像を隠蔽するのは、主として、メインユーザだけが表示画像を確認し、視聴者に表示画像（の少なくとも一部）を見せたくない場合である。例えば、表示画像を隠蔽する場合としては、メインユーザがウェブページにおいてＩＤやパスワードなどの個人情報を入力している場合や、プレゼンテーションやスライドショーにおいて、次に表示させる画像をメインユーザが操作しながら選んでいる場合などが考えられる。また、このような場合に限らず、表示画像の隠蔽を娯楽的な目的で行うことも可能である。
【００６２】
図６は、表示画像の一例を示す図である。図６（ａ）の表示画像Ｉｍ１ａは、ＩＤとパスワードの入力を行うログイン画面を示し、図６（ｂ）の表示画像Ｉｍ１ｂは、ログイン画面における入力後に表示される他の画面を示す。メインコントローラ１００の表示領域１４１には、これらの表示画像がこの順番で表示される。
【００６３】
図７は、表示画像を隠蔽する場合の表示例を示す図である。図７（ａ）は、表示画像の全体を覆うように隠蔽する隠蔽画像Ｉｍ２ａを示し、図７（ｂ）は、表示画像Ｉｍ１ａの一部を隠蔽する隠蔽画像Ｉｍ２ｂを示す。表示画像の全体を隠蔽するか、あるいは一部のみを隠蔽するかは、事前に決められていてもよいし、メインユーザの操作によって決められてもよい。隠蔽画像は、表示画像の視認性を低下させる視覚効果を有するものであれば、どのような画像であってもよい。
【００６４】
例えば、隠蔽画像Ｉｍ２ａは、カーテン（緞帳）などの布地を模した画像とすることができる。隠蔽画像Ｉｍ２ａは、表示画像がまったく視認できない画像であってもよいが、表示画像に対してアルファブレンド処理、ぼかし処理、モザイク処理（pixelization）などの画像処理を施した画像を少なくとも一部に含んでもよい。また、隠蔽画像Ｉｍ２ｂは、ログイン画面のテキストボックスなどを隠すことができれば、どのような画像であってもよく、例えばゲーム等のキャラクタが描かれた画像などであってもよい。また、隠蔽画像Ｉｍ２ａ、Ｉｍ２ｂのいずれも、静止画である必要はなく、その表示態様が変化するものであってもよい。例えば、隠蔽画像Ｉｍ２ａであれば、布地がはためくようなアニメーション表示をするものであってもよいし、ゲーム等のキャラクタが所定の位置に出現したり、さらに移動したりするものであってもよい。
【００６５】
この例において、メインユーザは、メインコントローラ１００によって、表示画像Ｉｍ１ａを視認し、ＩＤ等を入力したら、表示画像Ｉｍ１ｂを視認することができる。すなわち、このとき制御部３１０は、メインコントローラ１００に表示される表示画像を変更することができる。一方、視聴者は、モニタ２００によって、表示画像Ｉｍ１ａに代えて隠蔽画像Ｉｍ２ａ又はＩｍ２ｂを視認するか、表示画像Ｉｍ１ａの次に隠蔽画像Ｉｍ２ａ又はＩｍ２ｂを視認し、次いで表示画像Ｉｍ１ｂを視認する。つまり、制御部３１０は、モニタ２００に表示される表示画像Ｉｍ１ａの隠蔽を最初から行う必要はなく、途中（例えば、ＩＤ等の入力を開始するタイミング）から行ってもよい。
【００６６】
このような表示によれば、メインユーザは、視聴者に見られたくない情報を隠し、その視認を妨げながら、ＩＤ等の入力や画面遷移などの操作を行うことが可能である。また、メインユーザは、準備段階に相当する表示画像（換言すれば、見せる必要がない画像）を見せることなく、見せる必要がある画像のみを視聴者に見せることが可能であり、視聴者に対する演出効果を得ることができる。加えて、表示領域２０１の隠蔽の最中（すなわち、隠蔽を開始してから終了するまでの間）にメインユーザが表示画像を変更することで、表示画像が切り替わるタイミングや、メインユーザが表示画像を切り替えたり試行錯誤したりしている場面を視聴者に見せないようにすることも可能である。
【００６７】
本実施形態のような表示は、例えば、静止画や動画のサムネイルが複数表示されている場合において、この中から１つのサムネイルを選択し、当該サムネイルの元の画像（すなわち拡大した画像）を表示させるようなときに、拡大表示させたい画像をメインユーザが探している様子などを視聴者に見せないようにすることも可能である。なお、この場合には、サムネイルを選択して画像が拡大表示されるタイミングで表示画像の隠蔽が解除されてもよい。
【００６８】
図８は、本実施形態の表示制御処理を示すフローチャートである。同図に示す表示制御処理は、本体装置３００によって実行されるものである。本体装置３００は、コントローラ１００から操作情報（第１の操作情報）を受信し、コントローラ１００及びモニタ２００に画像データを送信することで、表示領域１４１に表示される画像の制御を実現する。なお、ここにおいて、コンテンツは、ウェブページを表示するための各種データであるとする。また、サブコントローラ４００は、この表示制御処理には用いられず、後述する第２実施形態において用いられる。
【００６９】
本体装置３００の制御部３１０は、まず、コンテンツを取得する（ステップＳａ１）。制御部３１０は、典型的には、外部のサーバ装置からコンテンツを取得するが、補助記憶部３２０にコンテンツがキャッシュとして記憶されている場合などには、これを補助記憶部３２０から取得してもよい。すなわち、コンテンツは、本体装置３００の外部から取得されるものに限定されない。
【００７０】
次に、制御部３１０は、取得したコンテンツが所定の条件を満たすか否かを判断する（ステップＳａ２）。例えば、制御部３１０は、ＨＴＭＬデータに特定の文字列が含まれているか否かを判断することができる。この場合に判断される文字列としては、form要素を示すタグ（<form>、</form>）や、テキストエリアやパスワードの属性が指定されているinput要素を示すタグ（<input>）が挙げられる。また、制御部３１０は、画像データのファイル名や画像データに埋め込まれたメタデータが所定の条件を満たすか否かを判断してもよい。これらの文字列やデータは、いずれも、本発明に係る「関連情報」に該当し得る。
【００７１】
あるいは、制御部３１０は、コンテンツをダウンロードしたときのＵＲＬや通信プロトコルを関連情報として用いてもよい。例えば、制御部３１０は、コンテンツがＨＴＴＰ（Hypertext Transfer Protocol）ではなくＨＴＴＰＳ（Hypertext Transfer Protocol over Secure Socket Layer）で受信された場合に所定の条件を満たすと判断してもよい。なぜならば、ＨＴＴＰＳで通信されたコンテンツの方が、他人に秘密にすべき情報が含まれている可能性が高いからである。なお、この判断は、ＵＲＬの文字列（冒頭が「http:」であるか「https:」であるか）によっても可能である。
【００７２】
取得したコンテンツが所定の条件を満たす場合（Ｓａ２：ＹＥＳ）、制御部３１０は、所定の操作によって表示画像の隠蔽が可能である旨を報知するため、報知情報をメインコントローラ１００に送信する（ステップＳａ３）。本実施形態において、報知情報は、画像データとして送信される。
【００７３】
図９は、報知情報の一例を示す図である。この例において、メインコントローラ１００は、取得したコンテンツに応じた表示画像を表示するとともに、当該表示画像が隠蔽可能である旨のメッセージを表示し、メインユーザの操作を受け付ける。このとき、メインコントローラ１００は、表示画像のうちの隠蔽する部分の指定をメインユーザの操作によって受け付けてもよい。なお、図９に示す画面は、モニタ２００には表示されない。
制御部３１０は、このようにして報知を行ったら、メインユーザの操作を判断し（ステップＳａ４）、メインユーザの操作に応じた処理を実行する。
【００７４】
表示画像を隠蔽することをメインユーザが選択した場合（Ｓａ４：ＹＥＳ）、制御部３１０は、メインコントローラ１００に表示画像を表示させる一方、モニタ２００にはその少なくとも一部を隠蔽した画像（図７参照）を表示させる（ステップＳａ５）。表示画像の一部を隠蔽する場合、制御部３１０は、表示画像のうちの隠蔽すべき要素（フォーム、テキストエリア、フレームなど）を関連情報に基づいて特定する。例えば、テキストエリアを示すタグを関連情報として用いた場合、制御部３１０は、表示画像のうちのテキストエリアに相当する部分を特定し、当該部分を隠蔽する。
【００７５】
一方、表示画像を隠蔽しないことをメインユーザが選択した場合（Ｓａ４：ＮＯ）、制御部３１０は、表示画像の隠蔽を行わずに、同一のコンテンツに基づく表示画像をメインコントローラ１００及びモニタ２００の双方に表示させる（ステップＳａ６）。なお、制御部３１０は、取得したコンテンツが所定の条件を満たさない場合（Ｓａ２：ＮＯ）、すなわち隠蔽の必要がない場合にも、ステップＳａ６の処理を実行し、メインコントローラ１００及びモニタ２００の双方に表示画像を表示させる。
【００７６】
このように画像を表示させたら、制御部３１０は、メインユーザからの操作を待機する。ここにおいて、メインユーザの操作は、画面遷移をさせ、新たなページを表示させる「遷移操作」と、表示画像の隠蔽の有無を切り替える「切替操作」と、これらのいずれとも異なる「その他の操作」の３種類であるとする。制御部３１０は、これらの操作が行われたか否かを判断し（ステップＳａ７）、メインユーザから操作が受け付けられなければ（Ｓａ７：ＮＯ）、同じ表示状態を維持する。
【００７７】
一方、メインユーザの操作が受け付けられれば（Ｓａ７：ＹＥＳ）、制御部３１０は、これが遷移操作であるか否かを判断する（ステップＳａ８）。制御部３１０は、これが遷移操作であれば（Ｓａ８：ＹＥＳ）、ステップＳａ１からの処理を繰り返す。すなわち、制御部３１０は、ユーザの遷移操作に応じた新たなコンテンツを取得し、取得したコンテンツに応じた画像（表示画像・隠蔽画像）を表示させる。この処理が繰り返されると、メインコントローラ１００には常に表示画像が表示されたまま、モニタ２００の表示画像は必要に応じて適宜隠蔽されることになる。
【００７８】
また、メインユーザの操作が遷移操作でない場合（Ｓａ８：ＮＯ）、制御部３１０は、これが切替操作であるか否かをさらに判断する（ステップＳａ９）。切替操作は、例えば、メインコントローラ１００の所定のキーを押下する操作である。制御部３１０は、メインユーザの操作が切替操作であれば（Ｓａ９：ＹＥＳ）、表示画像の表示状態を切り替える（ステップＳａ１０）。具体的には、制御部３１０は、表示画像が隠蔽されていれば、その隠蔽を解除し、表示画像が隠蔽されていなければ、その少なくとも一部を隠蔽する。このとき、制御部３１０は、メインコントローラ１００への表示画像の表示を維持した状態で、モニタ２００への表示画像の表示のみを切り替える。制御部３１０は、表示画像の表示状態を切り替えたら、ステップＳａ７の判断とそれ以降の処理を繰り返す。
【００７９】
なお、メインユーザの操作が遷移操作と切替操作のいずれでもない場合、すなわちその他の操作の場合（Ｓａ９：ＮＯ）、制御部３１０は、当該操作に応じた処理を実行する（ステップＳａ１１）。この処理は、メインユーザの操作に応じてさまざまであるため、ここでは詳細な説明を省略する。このとき、メインユーザが画像の表示を終了させる操作を行った場合には（Ｓａ１２：ＹＥＳ）、制御部３１０は本処理を終了させる。また、制御部３１０は、メインユーザの操作がそれ以外の操作であれば（Ｓａ１２：ＮＯ）、ステップＳａ７の判断とそれ以降の処理を繰り返す。
【００８０】
以上のとおり、本実施形態の表示システム１０によれば、メインコントローラ１００とモニタ２００とに同一のコンテンツに基づく表示画像を表示する場合において、メインコントローラ１００の表示を妨げることなくモニタ２００の表示画像を隠蔽する用に制御することが可能である。これにより、メインユーザの視認や操作を妨げることなく、視聴者に見せたくない画像を視聴者に視認させないようにすることが可能となる。メインユーザは、モニタ２００の電源をわざわざオフにしなくてもモニタ２００に表示される表示画像を隠蔽することが可能であり、また、表示画像を部分的に隠蔽することも可能である。
【００８１】
なお、本実施形態において、表示画像の隠蔽が可能である旨の報知（ステップＳａ３）は、必須ではない。すなわち、制御部３１０は、取得したコンテンツが所定の条件を満たす場合に、メインユーザへの報知を行わず、換言すればメインユーザからの操作（ステップＳａ４）を受け付けることなく、モニタ２００に表示される表示画像の隠蔽を行ってもよい。
【００８２】
［第２実施形態］
本実施形態は、上述した第１実施形態と同様のハードウェア構成を有するが、具体的な動作などが異なるものである。本実施形態は、視聴者がサブコントローラ４００を用いて操作を行う点において、第１実施形態と異なる。また、本実施形態は、視聴者による操作に応じて表示画像の隠蔽の態様を異ならせることができる点においても、第１実施形態と異なる。
【００８３】
なお、説明の便宜上、本実施形態の隠蔽は、図７（ａ）に例示したような、表示画像の全体を覆う隠蔽画像によって行われるものとする。ただしこれは、本実施形態の隠蔽がこのような態様のみによって行われることを意味するものではない。
【００８４】
本実施形態において、視聴者は、表示画像の隠蔽を部分的に解除させることが可能である。視聴者は、モニタ２００に隠蔽画像が表示されているときに、サブコントローラ４００でモニタ２００の表示領域２０１の特定の位置を指示すると、当該位置の隠蔽画像の表示態様を変化させることができる。本体装置３００は、視聴者が表示領域２０１のどの位置を指示しているかが容易にわかるように、指示位置にカーソル（又はポインタ）などの画像を表示するようにモニタ２００を制御してもよい。この場合、視聴者は、カーソルを所望の位置まで移動させ、所定のキーを押下することにより、表示画像の隠蔽状態を当該位置において解除させることができる。
【００８５】
図１０は、本実施形態の隠蔽画像の一例を示す図である。図１０（ａ）において、隠蔽画像Ｉｍ３は、複数（４×６枚）のパネルを格子状に配置した状態を模した画像である。視聴者は、これらのパネルのいずれかを指示すると、図１０（ｂ）に示すように、隠蔽画像Ｉｍ３のうちの指示した部分から表示画像（の一部）を視認することができるようになる。モニタ２００は、指示位置のパネルを非表示にすることによってこれを実現してもよいし、指示位置のパネルが中心線を軸にして回転するようなアニメーション表示をし、表示画像を部分的に表示させてもよい。なお、視聴者が表示画像を視認できるのは、あらかじめ決められた所定の時間内であってもよいし、視聴者が表示画像を再度非表示にするための所定の操作を行うまでであってもよい。
【００８６】
なお、本実施形態の隠蔽画像は、図１０に示した隠蔽画像Ｉｍ３に限らず、布地を模した画像などであってもよい。この場合、本体装置３００は、視聴者の指示に応じて、布地の一部（指示位置）に穴を開けるようなアニメーション表示をモニタ２００にさせてもよいし、布地の一部（指示位置）が透けて見えるようなアニメーション表示をモニタ２００にさせてもよい。本体装置３００による視覚効果は、隠蔽画像の視認性を指示位置において他の部分よりも向上させるものであれば、どのようなものであってもよい。
【００８７】
また、本体装置３００は、表示画像について、このような隠蔽の解除を許容する部分と隠蔽の解除を禁止する部分とを設けてもよい。以下においては、表示画像のうちの隠蔽の解除を禁止する部分のことを「禁止領域」という。禁止領域は、関連情報に基づいて決められてもよいし、メインユーザの操作に応じて決められてもよい。禁止領域は、メインユーザが見られたくないと考える部分や、視聴者が視認することによって何らかの不都合が生じる可能性がある部分などである。
【００８８】
図１１は、本実施形態の表示制御処理を示すフローチャートである。本処理は、例えば、第１実施形態の表示制御処理（図８参照）に対する割り込み処理として実行されるものである。本体装置３００は、隠蔽画像が表示されている場合において、視聴者の操作、すなわちサブコントローラ４００からの操作情報（第２の操作情報）を受け付けると、当該操作情報を契機として以下の処理を実行する。
【００８９】
まず、本体装置３００の制御部３１０は、サブコントローラ４００からの第２の操作情報を取得し、視聴者の操作を検出する（ステップＳｂ１）。第２の操作情報には、モニタ２００の表示領域２０１を示す座標情報が少なくとも含まれる。なお、制御部３１０は、座標情報そのものを取得するのではなく、サブコントローラ４００から取得した情報に基づいて座標情報を算出してもよい。制御部３１０は、この座標情報に基づき、視聴者が指示した位置、すなわち指示位置を特定する（ステップＳｂ２）。
【００９０】
指示位置を特定したら、制御部３１０は、当該位置が禁止領域に含まれるか否かを判断する（ステップＳｂ３）。制御部３１０は、指示位置が禁止領域であれば（Ｓｂ３：ＹＥＳ）、隠蔽画像による隠蔽を解除せずに、表示画像を非表示にし続ける（ステップＳｂ４）。一方、指示位置が禁止領域でなければ（Ｓｂ３：ＮＯ）、制御部３１０は指示位置の隠蔽を解除し、表示画像を表示させる（ステップＳｂ５）。
【００９１】
なお、禁止領域を設けない場合であれば、ステップＳｂ３及びＳｂ４の処理は省略可能である。この場合、制御部３１０は、隠蔽の解除を制限することなく、表示画像のうちの視聴者の指示位置に相当する部分を表示させる。
また、ステップＳｂ４の処理は、表示画像のうちの指示位置に相当する部分をまったく表示させないのではなく、一瞬（ほとんど視認できないくらいの短時間）表示させるような処理であってもよい。つまり、制御部３１０は、ステップＳｂ４において、ステップＳｂ５における表示よりも視認性が制限された態様で表示画像を表示させてもよい。さらに、制御部３１０は、メインユーザから操作を受け付け、このような場合の視認性の程度をメインユーザ自身が選択できるようにしてもよい。
【００９２】
本実施形態によれば、視聴者は、表示画像が隠蔽されている場合に、その隠蔽されている部分を視認することが可能になる。つまり、視聴者は、隠蔽されている表示画像を、いわば「覗き見」することが可能になる。このようにすれば、表示画像の隠蔽に娯楽性を付与することが可能であり、例えば、メインユーザがプレゼンテーションやスライドショーなどの準備をしているときの待ち時間などに視聴者を退屈させないようにすることが可能である。一方、表示画像に本当に見られたくない部分がある場合には、禁止領域を設定することによって、当該部分の意図しない露出を防ぐことが可能である。
【００９３】
なお、制御部３１０は、指示位置の隠蔽を解除して表示画像を表示させる処理（Ｓｂ５）に代えて、指示位置の隠蔽を緩和させる処理を実行してもよい。ここにおいて、隠蔽の緩和とは、表示画像を本来のとおりに表示させるのではなく、一定の制限を付して表示させることをいう。すなわち、表示画像の隠蔽が緩和された状態とは、表示画像が隠蔽されている状態と隠蔽されていない状態の中間の状態、換言すれば、表示画像が隠蔽されている状態よりも視認性が高く、表示画像が隠蔽されていない状態よりも視認性が低い状態である。
【００９４】
［変形例］
上述した実施形態は、本発明の実施の一態様である。本発明は、この実施形態に限定されることなく、以下の変形例に示すような他の態様で実施することも可能である。なお、本発明は、必要に応じて、複数の変形例を組み合わせて適用することも可能である。
【００９５】
（変形例１）
本発明に係る第１の特定手段は、サブコントローラ４００ではなく本体装置３００に備わっていてもよい。この場合、サブコントローラ４００は、発光装置５００が発する光を検知し、その撮像結果を示す画像データを本体装置３００に送信する。本体装置３００は、この画像データを受信し、発光装置５００が発する光の撮像結果に基づいて指示位置を特定する。
【００９６】
（変形例２）
報知情報は、表示画像の隠蔽が所定の操作によって可能であることをメインユーザに報知することが可能な情報であればよく、必ずしも画像である必要はない。例えば、メインコントローラ１００にＬＥＤなどによるランプ（インジケータ）が設けられている場合であれば、このランプを光らせることによってメインユーザへの報知を行うことも可能である。この場合、本体装置３００は、報知情報として、このランプを点灯ないし点滅させる命令をメインコントローラ１００に対して送信すればよい。
【００９７】
さらに、報知情報は、メインコントローラ１００に音声（ビープ音など）を再生させる命令や、メインコントローラ１００を振動させる命令であってもよい。つまり、報知情報による報知は、視覚的なものに限定されない。
【００９８】
（変形例３）
表示画像の隠蔽は、視聴者の操作によらずに解除されてもよい。例えば、本体装置３００は、図７（ａ）に示すようなカーテンの画像を隠蔽画像として表示させる場合において、その隠蔽画像の一部を照らすスポットライト状の画像を表示させ、スポットライトによって照らされている位置に対して表示画像の視認性が向上する視覚効果（例えば、カーテンの向こう側が透けて見えるような視覚効果）を付与してもよい。この場合において、本体装置３００は、視聴者の操作によらずに、スポットライトの照射位置をランダムに移動させたり、８の字状に移動させたりすることが可能である。このようにすれば、表示画像の隠蔽に娯楽性を付与し、隠蔽画像の次に表示されるものに対する期待感を視聴者に抱かせることなどが期待できる。
【００９９】
なお、この場合において、本体装置３００は、表示画像に禁止領域が含まれる場合には、当該禁止領域において表示画像の視認性を向上させないように隠蔽画像の表示態様を制御してもよい。例えば、本体装置３００は、禁止領域にはスポットライトが当たらないように表示態様を制御してもよいし、禁止領域については、スポットライトが当たったとしても表示画像の視認性が向上しないように表示態様を制御してもよい。
【０１００】
（変形例４）
表示画像の隠蔽は、ユーザの事前の設定によって行われてもよい。例えば、ユーザは、表示画像としてどのような画像（フォームなど）が表示される場合に隠蔽を行うかを設定してもよいし、ＵＲＬやドメインなどを条件として設定し、そのＵＲＬないしドメインからのコンテンツを取得した場合に表示画像が隠蔽されるようにしてもよい。
【０１０１】
この場合において、本体装置３００は、このようにユーザが設定した情報を設定情報として補助記憶部３２０に記憶し、必要に応じて読み出すことができる。例えば、本体装置３００は、関連情報を取得した場合に、設定情報を読み出して関連情報と設定情報とをパターンマッチングなどによって比較し、その比較結果が所定の条件を満たした場合に表示画像の隠蔽を行う。
【０１０２】
なお、本体装置３００は、このような設定情報をユーザ毎に記憶してもよい。このようにすれば、メインユーザが複数名いる場合に、それぞれのメインユーザに応じた動作を行うことが可能になる。なお、メインユーザの識別には、パスワード等を用いた周知の認証処理を利用することができる。
【０１０３】
また、設定情報は、本体装置３００ではなくメインコントローラ１００に記憶されていてもよい。この場合、本体装置３００は、表示画像の隠蔽を行う前の適当なタイミングで、設定情報をメインコントローラ１００から受信し、補助記憶部３２０や制御部３１０のメモリに記憶すればよい。
【０１０４】
（変形例５）
本発明は、本体装置３００や、これを備えた表示システム１０といった形態だけではなく、本体装置３００に相当する構成とメインコントローラ１００に相当する構成とを一体に備えた情報処理装置（いわゆるタブレット端末など）といった形態でも実施可能である。あるいは、本発明は、本発明に係る表示制御（すなわち、第１の表示制御手段３１６及び第２の表示手段３１７による制御）の一部又は全部をメインコントローラ１００及びモニタ２００で実行するように構成されてもよいし、本体装置３００に相当する構成を備えることなく、各々の表示装置における表示制御をそれぞれの装置で実行してもよい。また、本発明に係る情報処理装置は、両手で把持する形状ではなく、片手で把持する形状であってもよいし、机の上などに置いた状態で操作するものであってもよい。なお、本発明に係る情報処理装置は、ゲーム機能を有していなくてもよい。
【０１０５】
また、本発明は、このような情報処理装置（制御装置）や表示システムの形態だけでなく、表示画像を所定の条件で隠蔽するための画像表示方法や、かかる画像表示方法を実現するための情報処理プログラムといった形態での実施も可能である。さらに、本発明に係る情報処理プログラムは、光ディスクや半導体メモリなどの記録媒体に記録された形態での提供や、インターネットなどのネットワークを介して情報処理装置にダウンロードさせる形態での提供も可能である。
【符号の説明】
【０１０６】
１０…表示システム、１００…メインコントローラ（第１の表示装置）、１１０…制御部、１２０…補助記憶部、１３０…通信部、１４０…表示部、１４１…表示領域、１５０…タッチスクリーン部、１６０…操作部、２００…モニタ（第２の表示装置）、２０１…表示領域、３００…本体装置（制御装置）、３１０…制御部、３１１…操作情報取得手段、３１２…コンテンツ取得手段、３１３…表示制御手段、３１４…関連情報取得手段、３１５…位置特定手段、３１６…第１の表示制御手段、３１７…第２の表示制御手段、３１８…出力手段、３２０…補助記憶部、３３０…ディスクドライブ部、３４０…ネットワーク通信部、３５０…端末通信部、３６０…ＡＶインタフェース部、４００…サブコントローラ、４１０…制御部、４２０…通信部、４３０…操作部、４４０…受光部
【図１】
0005898999.tif 000002
【図２】
0005898999.tif 000003
【図３】
0005898999.tif 000004
【図４】
0005898999.tif 000005
【図５】
0005898999.tif 000006
【図６】
0005898999.tif 000007
【図７】
0005898999.tif 000008
【図８】
0005898999.tif 000009
【図９】
0005898999.tif 000010
【図１０】
0005898999.tif 000011
【図１１】
0005898999.tif 000012